(57)【特許請求の範囲】
【請求項１】
圧縮機、流路切換弁、室外熱交換器、膨張弁が冷媒配管で順次接続された室外機と、
前記室外機と接続され、膨張弁、室内熱交換器が冷媒配管で順次接続された複数の室内機と、
前記室外機と前記室内機に間に介在し、一端は室内機の前記室内熱交換器側配管に接続され、他端は２つに分岐しそれぞれ開閉弁を備え室外機に繋がる冷媒配管に接続された複数の分流コントロールユニットとを備える多室形空気調和機であって、
前記室外機は、圧縮機の吐出側配管であって、圧縮機と前記流路切換弁との間から分岐する冷媒配管を備え、
前記吐出側配管と圧縮機の吸入側配管とをバイパスする開閉弁を備えた第一バイパス路と、圧縮機と前記流路切換弁との間から分岐する冷媒配管と前記吸入側配管とをバイパスする開閉弁を備えた第二バイパス路を備え、
前記吐出側配管は複数の室内機それぞれの膨張弁側に接続され、前記吸入側配管は前記分流コントロールユニットの分岐した一方の冷媒配管に接続され、圧縮機と前記流路切換弁との間から分岐する冷媒配管は前記分流コントロールユニットの分岐した他方の冷媒配管に接続され、
圧縮機と前記流路切換弁との間から分岐する冷媒配管に接続される前記分流コントロールユニットの開閉弁が共に閉じられ、かつ前記圧縮機から吐出される冷媒の温度がある設定値に達したとき、
前記第一バイパス路に備えられた開閉弁と第二バイパス路に備えられた開閉弁とを開放することを特徴とする多室形空気調和機。
【請求項２】
前記流路切換弁が、四方弁からなることを特徴とする請求項１に記載の多室形空気調和機。
【請求項３】
前記流路切換弁が、一対の電磁開閉弁からなることを特徴とする請求項１に記載の多室形空気調和機。
【請求項４】
前記第一バイパス路と、前記第二バイパス路とにキャピラリチューブを夫々付設してなることを特徴とする請求項１、請求項２または請求項３に記載の多室形空気調和機。
【発明の詳細な説明】
【０００１】
【発明の属する技術分野】
本発明は、多室形空気調和機に係わり、より詳細には、冷媒回路の高圧部と低圧部とを結ぶ電磁開閉弁を備えたバイパス路を設け、冷房運転を円滑に行える構成に関する。
【０００２】
【従来の技術】
従来の多室形空気調和機は、例えば図３で示すように、圧縮機１と四方弁２と室外側熱交換器３とで構成される室外ユニットに、複数の室内ユニット４、５及び６を接続して構成されている。前記圧縮機１の吐出側は、オイルセパレータ１１と四方弁２とを備えた配管１３により前記室外側熱交換器３の一側に接続され、同室外側熱交換器３の他側は、配管１４により膨張弁１２を介して前記室内ユニット４、５及び６に備えられた室内側熱交換器４ａ、５ａ及び６ａの一側に夫々接続されている。同室内側熱交換器４ａ、５ａ及び６ａの他側に接続された配管は分流コントロールユニット７、８及び９で分岐し、分岐した一方は配管１５により前記圧縮機１の吸込側に接続され、他方は配管１６により前記配管１３に接続されている。
【０００３】
上記構成の冷媒回路において、前記室内ユニット４、５及び６が共に冷房運転を行う際、前記圧縮機１から吐出された冷媒は、図３の矢印で示すように、前記四方弁２を介して前記室外側熱交換器３に流入し、同室外側熱交換器３で熱を放出して凝縮し、続いて前記配管１４を通り前記室内側熱交換器４ａ、５ａ及び６ａに流入する。同前記室内側熱交換器４ａ、５ａ及び６ａで熱を吸収して蒸発した冷媒は前記分流コントロールユニット７、８及び９を介し前記配管１５を通り前記圧縮機１の吸込側に還流する。
【０００４】
近年、冬場の外気温の低い時期においても、例えばコンピュータルーム等では冷房運転を行うことが多く、外気温の低い状態で冷房運転を行うと、上記の冷媒回路では、前記分流コントロールユニット７、８及び９と前記配管１３とを結ぶ配管１６内に冷媒が凝縮しながら滞留し、これにより冷房運転を行う冷媒の量が減少し、冷媒量が減少すると前記圧縮機１から吐出される冷媒の温度が上昇するという現象を引き起こす。吐出される冷媒の温度が上昇すると、これに含まれる潤滑油の温度上昇を防止するため、前記圧縮機１に備えられている保護機能が作動し、前記圧縮機１を停止させるか、あるいは断続運転を行うようになっている。このため、外気温の低い状態で冷房運転を行うと、運転が突然停止したり、あるいは断続運転と行うというような不具合があった。
【０００５】
【発明が解決しようとする課題】
本発明は上記問題点に鑑み、冬場等の外気温の低い状態において冷房運転を行っても冷房運転を円滑に行え、且つ冷房運転と暖房運転とが混合して行える多室形空気調和機を提供することを目的とする。
【０００６】
【課題を解決するための手段】
本発明は上記課題を解決するため、圧縮機の吐出側と、流路切換弁と、室外側熱交換器と、膨張弁とを順次接続する一方、同膨張弁と、前記圧縮機の吸込側に接続された配管との間に電磁開閉弁を備えた第一バイパス路を設け、前記圧縮機の吐出側と前記四方弁との間から分岐した配管と、前記圧縮機の吸込側に接続された配管との間に、電磁開閉弁を備えた第二バイパス路を設けた室外ユニットと、前記膨張弁と配管により夫々の一側を接続された室内側熱交換器を備えた複数の室内ユニットと、前記室内側熱交換器の他側に接続された配管を分岐し、一対の電磁開閉弁の一側に夫々接続し、前記一対の電磁開閉弁の他側に接続された配管の一方を合流して、前記圧縮機の吸込側に接続された配管に接続し、配管の他方を前記圧縮機の吐出側と前記四方弁との間から分岐した配管に夫々接続した複数の分流コントロールユニットとで冷媒回路を構成し、
前記室内ユニットが共に冷房運転中で、前記圧縮機から吐出される冷媒の温度がある設定値に達した際、前記第一バイパス路に備えられた電磁開閉弁と、前記第二バイパス路に備えられた電磁開閉弁とを開放する構成となっている。
【０００７】
また、前記流路切換弁が、四方弁からなる構成となっている。
【０００８】
また、前記流路切換弁が、一対の電磁開閉弁からなる構成となっている。
【０００９】
更に、前記第一バイパス路と、前記第二バイパス路とにキャピラリチューブを夫々付設した構成となっている。
【００１０】
【発明の実施の形態】
以下、本発明の実施の形態を、添付図面に基づいた実施例として詳細に説明する。
図１（Ａ）は本発明の第一実施例による多室形空気調和機を示す冷媒回路図であり、図１（Ｂ）は第二実施例を示す冷媒回路図である。図２（Ａ）は第三実施例を、図２（Ｂ）は第四実施例を夫々示す冷媒回路図である。
本発明による多室形空気調和機の第一実施例は、図１（Ａ）で示すように、圧縮機１の吐出側をオイルセパレータ１１と四方弁２とを備えた第一配管１３により室外側熱交換器３の一側に接続し、同室外側熱交換器３の他側を膨張弁１２を備えた第二配管１４により室内ユニット４の室内側熱交換器４ａ、室内ユニット５の室内側熱交換器５ａ及び室内ユニット６の室内側熱交換器６ａの一側に夫々接続している。前記室内側熱交換器４ａの他側は、電磁開閉弁７ａ及び電磁開閉弁７ｂを備えた分流コントロールユニット７に至り、同分流コントロールユニット７で分岐して、分岐した一方は前記電磁開閉弁７ａの一側に、他側は前記電磁開閉弁７ｂの一側に夫々接続され、前記室内側熱交換器５ａの他側は、電磁開閉弁８ａ及び電磁開閉弁８ｂを備えた分流コントロールユニット８に至り、同分流コントロールユニット８で分岐して、分岐した一方は前記電磁開閉弁８ａの一側に、他側は前記電磁開閉弁８ｂの一側に夫々接続され、前記室内側熱交換器６ａの他側は、電磁開閉弁９ａ及び電磁開閉弁９ｂを備えた分流コントロールユニット９に至り、同分流コントロールユニット９で分岐して、分岐した一方は前記電磁開閉弁９ａの一側に、他側は前記電磁開閉弁９ｂの一側に夫々接続されている。
【００１１】
前記電磁開閉弁７ａ、前記電磁開閉弁８ａ及び前記電磁開閉弁９ａの他側に接続された配管は合流して第三配管１５となり、アキュームレータ１０を介して前記圧縮機１の吸込側に接続されている。また、前記電磁開閉弁７ｂ、前記電磁開閉弁８ｂ及び前記電磁開閉弁９ｂの他側に接続された配管は合流して第四配管１６となり、前記第一配管１３の前記オイルセパレータ１１と前記四方弁２との間に接続されている。
【００１２】
また、前記第二配管１４と前記第三配管１５との間には電磁開閉弁２０を備えた第一バイパス路１８が、前記第四配管１６と前記第三配管１５との間には電磁開閉弁２１を備えた第二バイパス路１９が夫々設けられている。
【００１３】
本発明による第二実施例は、図１（Ｂ）で示すように、上記した第一実施例の冷媒回路に設けられた前記バイパス路１８にキャピラリチューブ２２を、前記バイパス路１９にキャピラリチューブ２３を夫々付設した構成となっている。第三実施例は、図２（Ａ）で示すように、上記した第一実施例に備えられた前記四方弁２に替わり、電磁開閉弁２４ａ及び電磁開閉弁２４ｂを設けた構成となっており、第四実施例は第三実施例のバイパス路１８にキャピラリチューブ２２を、バイパス１９にキャピラリチューブ２３を夫々付設した構成となっており、第一実施例から第四実施例まで、冷暖房の各運転における冷媒の流れは同等である。
【００１４】
次に、上記した第一実施例において、前記室内機ユニット４及び前記室内ユニット５が冷房運転を行い、前記室内ユニット６が暖房運転を行う際の冷媒の流れについて説明する。この際、前記電磁開閉弁７ｂ、８ｂ及び９ａと前記第一バイパス路１８及び第二バイパス路１９に設けられた前記電磁開閉弁２０及び２１は閉じられる。前記圧縮機１から吐出された冷媒の一方は、図１（Ａ）で示すように、前記室外側熱交換器３に流入し、熱を放出して凝縮し、前記第二配管１４を通り前記室内側熱交換器４ａ及び前記室内側熱交換器５ａに流入し、これらで熱を吸収して蒸発する。蒸発した冷媒は、前記電磁開閉弁７ａ及び電磁開閉弁８ａを通り、前記第三配管１５を介して前記圧縮機１の吸込側に還流する。前記圧縮機１から吐出された冷媒の他方は前記第四配管１６を通り、前記電磁開閉弁９ｂを介して前記室内側熱交換器６ａに流入し、同室内側熱交換器６ａで熱を放出して凝縮する。凝縮した冷媒は、前記第二配管１４を通り、前記室外側熱交換器３から送出された冷媒と合流して前記室内側熱交換器５ａに流入し、前記第三配管１５を介して前記圧縮機１の吸込側に還流する。
【００１５】
次に、上記した第二実施例において、前記室内ユニット４及び前記室内ユニット５が暖房運転を行い、前記室内ユニット６が冷媒運転を行う際の冷媒の流れについて説明する。この際、前記電磁開閉弁７ａ、８ａ及び９ｂと、前記第一バイパス路１８及び前記第二バイパス路１９に設けられた前記電磁開閉弁２０及び２１は閉じられ、前記四方弁２は切換えられる。前記圧縮機１の吐出側から吐出された冷媒は、図１（Ｂ）で示すように、前記第四配管１６を通り、前記電磁開閉弁７ｂ及び８ｂを介して前記室内側熱交換器４ａ及び前記室内側熱交換器５ａに流入し、熱を放出して凝縮する。凝縮した冷媒は前記第二配管１４を通り前記室外側熱交換器３に流入し、熱を吸収して蒸発し、前記四方弁２を介して前記圧縮機１の吸込側に還流する。この際、前記室内側熱交換器５ａで凝縮した冷媒は前記第二配管１４で分流し、分流した冷媒は前記室内側熱交換器６ａに流入し、同室内側熱交換器６ａで熱を吸収して蒸発する。蒸発した冷媒は、前記電磁開閉弁９ａを通り、前記第三配管１５を介して前記圧縮機１の吸込側に還流する。
【００１６】
次に、上記した第三実施例において、前記室内ユニット６が暖房運転を行い、前記室内ユニット４が冷房運転を行う際の冷媒の流れについて説明する。この際、前記電磁開閉弁２２ａ、２２ｂ、７ｂ，８ａ，８ｂ及び９ａが閉じられるとともに、前記膨張弁１２も閉じられる。前記圧縮機１から吐出された冷媒は、図２（Ａ）で示すように、前記第四配管１６を通り、前記室内側熱交換器６ａに流入し、熱を放出して凝縮し、続いて前記第二配管１４を通り前記室内側熱交換器４ａに流入し、熱を吸収して蒸発する。蒸発した冷媒は、前記第三配管１５を通り、前記圧縮機１の吸込側に還流する。
【００１７】
次に、上記第四実施例において、前記室内ユニット４、前記室内ユニット５及び前記室内ユニット６が共に冷房運転を行う際の冷媒の流れについて説明する。この際、前記電磁開閉弁７ｂ、８ｂ及び９ｂは閉じられ、また前記電磁開閉弁２４ｂも閉じられる。前記圧縮機１から吐出された冷媒は、前記室外側熱交換器３で熱を放出して凝縮し、凝縮した冷媒は前記第二配管１４を介して前記室内側熱交換器４ａ，５ａ及び６ａに流入し、熱を吸収して蒸発する。蒸発した冷媒は前記第三配管１５を通り前記圧縮機１の吸込側に還流する。
【００１８】
上記した冷房運転の際、前記第配管１６には冷媒が流れないため、同配管１６内に冷媒が滞留し、冷房運転を行う冷媒量が減少する。冷媒量が減少すると、前記圧縮機１から吐出される冷媒の温度が上昇し、前記圧縮機１に備えられた保護機能が作動する。この際、前記圧縮機１から吐出される冷媒の温度がある値に達すると、前記第一バイパス路１８及び前記第二バイパス路１９に設けられた前記電磁開閉弁２０及び前記電磁開閉弁２１が開放される。
【００１９】
前記電磁開閉弁２０及び前記電磁開閉弁２１が開放されると、前記室外側熱交換器３から送出された冷媒と、前記第四配管１６内に滞留していた冷媒が前記第二配管１４を介して前記圧縮機１に流入する。これにより前記圧縮機１から吐出側された冷媒の温度が低下し、前記圧縮機１を停止することなく冷房運転を継続できるようになっている。
【００２０】
また、前記第一バイパス路１８及び前記第二バイパス路１９に、前記キャピラリチューブ２２及び２３が付設されていることにより、前記バイパス路１８及び１９を介して前記圧縮機１に還流する冷媒量をある程度制限できるようになっており、冷房運転の効率を下げずに運転を継続できるようになっている。
【００２１】
【発明の効果】
以上説明したように、本発明によると、室外側熱交換器と室内ユニットを結ぶ第二配管と、前記室内ユニットと圧縮機とを結ぶ第三配管との間に電磁開閉弁を備えた第一バイパス路を、圧縮機の吐出側と前記室内ユニットを結ぶ第四配管と前記第三配管との間に、電磁開閉弁を備えた第二バイパス路を夫々設けることにより、冬場等の低外気温時に、室内ユニットが共に冷房運転を行ったとしても、円滑な運転を行える多室形空気調和機とすることができる。
【図面の簡単な説明】
【図１】（Ａ）は本発明の第一実施例による多室形空気調和機を示す冷媒回路図である。
（Ｂ）は本発明の第二実施例による多室形空気調和機を示す冷媒回路図である。
【図２】（Ａ）は本発明の第三実施例による多室形空気調和機を示す冷媒回路図である。
（Ｂ）は本発明の第四実施例による多室形空気調和機を示す冷媒回路図である。
【図３】従来例による多室形空気調和機を示す冷媒回路図である。
【符号の説明】
１  圧縮機
２  四方弁
３  室外側熱交換器
４  室内ユニット
４ａ  室内側熱交換器
５  室内ユニット
５ａ  室内側熱交換器
６  室内ユニット
６ａ  室内側熱交換器
７  分流コントロールユニット
７ａ  電磁開閉弁
７ｂ  電磁開閉弁
８  分流コントロールユニット
８ａ  電磁開閉弁
８ｂ  電磁開閉弁
９  分流コントロールユニット
９ａ  電磁開閉弁
９ｂ  電磁開閉弁
１０  アキュームレータ
１１  オイルセパレータ
１２  膨張弁
１３  第一配管
１４  第二配管
１５  第三配管
１６  第四配管
１７  第五配管
１８  第一バイパス路
１９  第二バイパス路
２０  電磁開閉弁
２１  電磁開閉弁
２２  キャピラリチューブ
２３  キャピラリチューブ
２４ａ  電磁開閉弁
２４ｂ  電磁開閉弁
【図１】
0004747439.tif 000002
【図２】
0004747439.tif 000003
【図３】
0004747439.tif 000004